(57)【要約】【課題】  本発明は産婦の母乳の出具合を促進させると共に肩こりが軽減可能で且つ心地良い温かさが得られる授乳用ブラジャーを提供することを目的とする。【解決手段】乳房に当接する左右のカップ部１と、該各カップ部１からそれぞれ側方へ延伸した両脇部２と、各カップ部１から上方へ延伸すると共に背面に於いて両脇部２と一体化された肩紐部３とから構成し、且つ、少なくとも、各部位が吸湿発熱繊維によって編み込まれた布地Ｎを使用するものと成す。また各カップ部１の中間に、前開きとなるように開閉手段４を設けるのが好ましく、布地Ｎの表面に、熱発散防止用の外被を重ねて設けたものとしても良い。更に各カップ部１に、吸湿発熱繊維によって立体裁断したパットを具備するものとしても良い。【選択図】図１
2013227700.tif 000002
【特許請求の範囲】
【請求項１】
乳房に当接する左右のカップ部（１）と、該各カップ部（１）からそれぞれ側方へ延伸した両脇部（２）と、左右の前記カップ部（１）から上方へ延伸すると共に背面に於いて前記両脇部（２）と一体化された肩紐部（３）と、を有する授乳用ブラジャーであって、少なくとも、各部位が吸湿発熱繊維によって編み込まれた布地（Ｎ）を使用したことを特徴とする授乳用ブラジャー。
【請求項２】
前記各カップ部（１）の中間に、前開きとなるように開閉手段（４）が設けられた請求項１記載の授乳用ブラジャー。
【請求項３】
前記布地（Ｎ）の外周に、熱発散防止用の外被（５）が重ねて設けられた請求項１記載の授乳用ブラジャー。
【請求項４】
前記各カップ部（１）に、吸湿発熱繊維によって立体裁断したパット（６）が具備された請求項１記載の授乳用ブラジャー。
【発明の詳細な説明】
【技術分野】
【０００１】
本発明は心地良い温かさで常時乳房やその周辺及び肩などを直接温める授乳用ブラジャーに関する。
【背景技術】
【０００２】
従来、母乳の出具合が悪い際は、病院や医院などで、専用の吸引器具を利用して乳が良く出るように指導している所や、乳房のマッサージ方法を指導すると共に乳房をお湯で温めたりして、乳が良く出るようにする指導を行う場合も多く見受けられる。又、冬場に於ける授乳は、胸元をはだけるため、寒くなり、タオル等を当てて寒さを防いでいるのが現状である。
【０００３】
一般に授乳期の産婦は、母乳が充満し、乳房が張っている時には痛みや違和感を生じ、快適でなく、且つ、母乳を乳児に飲ませた後、乳房に母乳が残ると不快感を生じていた。このため、授乳用ブラジャーの胸部に冷却挿入部を形成し、その冷却挿入部に冷却具を入れ、且つ、産婦の胸部が冷却緩和用布を介して接触される構成にした授乳用ブラジャーが、実用新案登録第３１２９６４７号で提案されている。しかしながら、実用新案登録第３１２９６４７号は、本願のように乳房を温めて母乳の出具合を良好にするものと異なり、冷やすものである共にその目的も異なるものであった。
【０００４】
又、乳房を温めるブラジャーとしては、特開２００３−２３９１０６が提案されている。これは、遠赤外線セラミックス練り込み糸から成る布地を使用し、立体裁断したブラジャーであり、且つ、それに特殊構造を有したブラジャーの提案である。この目的は、バストとその周辺を温めることにより、脇のリンパの流れや血流を良くし、乳腺の働きを良くし、胃を圧迫せず、肩紐に掛かる負担を軽減し、バストを正しく包み込むようにしたものである。また特開２００３−２３９１０６は健康と美を保つためのブラジャーの提案である。
【０００５】
しかしながら、特開２００３−２３９１０６は、伸縮性の小さな遠赤外線放射セラミックス練り込み繊維が使用されているので、本願で使用の吸湿発熱繊維のような柔軟性が得られず、且つ、その単価が高いため商品の定価は高価であった。更に、このブラジャーを本願のように授乳用として使用すると、柔軟性が小さいので、やさしい感触が得られず、且つ、乳房が授乳の前後で大きさが変化するため、それに対応できないと共に乳房全体を均一に接触できなくなり、乳房全体を均一に温めることができないものとなる。従って、特開２００３−２３９１０６では、授乳用に適したものを製作することが難しいものとなるため、本願の目的と同様な効果は期待できないと共にそのような発想もないものであった。
【先行技術文献】
【特許文献】
【０００６】
【特許文献１】実用新案登録第３１２９６４７号公報
【特許文献２】特開２００３−２３９１０６号公報
【発明の概要】
【発明が解決しようとする課題】
【０００７】
本発明は産婦の母乳の出具合を促進させると共に肩こりが軽減可能で且つ心地良い温かさが得られる授乳用ブラジャーを提供することを目的とする。
【課題を解決するための手段】
【０００８】
本発明は上記現状に鑑みて成されたものであり、つまり、乳房に当接する左右のカップ部と、該各カップ部からそれぞれ側方へ延伸した両脇部と、各カップ部から上方へ延伸すると共に背面に於いて両脇部と一体化された肩紐部とから構成し、且つ、少なくとも、各部位が吸湿発熱繊維によって編み込まれた布地を使用するものと成す。また各カップ部の中間に、前開きとなるように開閉手段を設けるのが好ましく、布地の表面に、熱発散防止用の外被を重ねて設けたものとしても良い。更に各カップ部に、吸湿発熱繊維によって立体裁断したパットを具備するものとしても良い。
【発明の効果】
【０００９】
請求項１のように乳房に当接する左右のカップ部（１）と、該各カップ部（１）からそれぞれ側方へ延伸した両脇部（２）と、左右の前記カップ部（１）から上方へ延伸すると共に背面に於いて前記両脇部（２）と一体化された肩紐部（３）と、を有する授乳用ブラジャーであって、少なくとも、各部位が吸湿発熱繊維によって編み込まれた布地を使用することにより、冬は暖かく、且つ、常に乳房やその周辺及び肩を適宜に温めることが出来るものとなるため、産婦の母乳の出具合を促進させると共に肩こりが軽減可能で且つ心地良い温かさが得られるものとなる。
【００１０】
請求項２のように各カップ部（１）の中間に、前開きとなるように開閉手段（４）を設けることにより、ブラジャーを装着したままであっても授乳が簡単に行えるものとなる。
【００１１】
請求項３に示すように布地（Ｎ）の表面に、熱発散防止用の外被（５）を重ねて設けることにより、吸湿発熱された熱が外部へ発散しにくくなるため、母乳の出具合がより促進可能なものとなると共に心地良い温かさが常時確保できるものとなる。
【００１２】
請求項４に示すように各カップ部（１）に、吸湿発熱繊維によって立体裁断したパット（６）を具備することにより、請求項３と同様に乳の出具合がより促進可能なものとなる。
【図面の簡単な説明】
【００１３】
【図１】本発明の実施形態を示す斜視図である。
【図２】本発明の実施形態の断面を示す説明図である。
【図３】本発明の別実施形態の断面を示す説明図である。
【図４】本実施形態のカップ部にパットが具備されたものを装着した際の断面を示す説明図である。
【発明を実施するための形態】
【００１４】
本発明の実施形態を図１、図２に基づいて説明する。（１)は乳房に当接する左右のカップ部であり、該各カップ部（１）には、図４に示すように吸湿発熱繊維によって立体裁断して形成されたパット（６）を具備させたものとしても良い。（２）は各カップ部（１）からそれぞれ側方へ延伸した両脇部であり、該両脇部（２）は背面で連続している。（３）は左右のカップ部（１）から上方へ延伸すると共に背面に於いて両脇部（２）と一体化された肩紐部である。
【００１５】
又、前記カップ部（１）と両脇部（２）及び肩紐部（３）の各部位は、吸湿発熱繊維によって編み込まれた柔軟な布地（Ｎ）を使用して形成されている。この吸湿発熱繊維は、湿気を吸って熱を出し、心地良い温度が確保されるものである。前記吸湿発熱繊維やその布地（Ｎ）としては、例えば、東洋紡ＡＰ事業部製のモイスケア（登録商標名）や、ユニクロ製のヒートテック（登録商標名）と同質材料などを用いるのが好ましい。
【００１６】
（４）は各カップ部（１）の中間に、前開きとなるように設けた開閉手段であり、該開閉手段（４）は、ブラジャーを装着したままであっても、前方を開ければ授乳が簡単に行えるものとするためのものである。前記開閉手段（４）としては、フロントホック，フック，面ファスナーなどを用いると良い。尚、本発明は、従来の授乳用ブラジャーの材質を、吸湿発熱繊維やその布地（Ｎ）とすれば、形状や構造は乳房の出し入れが容易なものと略同一のものとすれば良い。
【００１７】
図３は本発明の別実施形態を示す図であり、これは前記実施形態の布地（Ｎ）に対し、その布地（Ｎ）の表面に外被（５）が重ねて設けられたものであり、各部位の形状は同一である。この外被（５）は熱発散防止用の役目を果たす。また前記実施形態の各カップ部（１）と同様に、図４に示すようパット（６）を具備させたものとしても良い。
【００１８】
次に本発明の作用について説明する。先ず始めに図１に示す授乳用ブラジャーを、従来のものと同様に装着する。この時、授乳用ブラジャーの布地（Ｎ）は柔軟であり、乳房に当接する左右のカップ部（１）は肌の湿気を吸収して熱を生じるため、その熱によって乳房とその周辺を温めると共に常時気持ちの良い温度で温めることが可能となるため、乳腺の血行を促進させ、乳腺の働きを良くさせることによって、母乳の出具合が良くなるのである。また肩紐部（３）によって、肩を温めその肩部の血行が良くなることにより、肩こりが軽減可能なものとなるのである。尚、冬場に於いて、本発明品を産婦以外の婦人が使用すれば、温かい状態が常時確保される肌着として、重宝なものとなるのである。又、吸湿発熱繊維やその布地（Ｎ）を使用した下着は、その快適さが一般に良く知られているところであり、本発明に於いても同様の効果が期待できるものとなるのである。
【符号の説明】
【００１９】
１  カップ部
２  両脇部
３  肩紐部
４  開閉手段
５  外被
６  パット
Ｎ  布地
【図１】
2013227700.tif 000003
【図２】
2013227700.tif 000004
【図３】
2013227700.tif 000005
【図４】
2013227700.tif 000006